(57)【特許請求の範囲】
【請求項１】
無線通信機器において実行される方法であって、
受信機において、第１の時間期間中に第１の中心周波数の中心に置かれた第１の周波数レンジ内で第１の入力を受信することと、ここで、前記第１の入力は、第１の信号と第２の信号とを備え、前記第１の信号は、第１の無線技術を使用して符号化され、前記第２の信号は、第２の無線技術を使用して符号化される、
前記第１の入力を前記第１の信号と前記第２の信号とに分離することと、
前記第１の信号および前記第２の信号のソースに第１のメッセージを送信することと、ここで、前記第１のメッセージは、前記ソースが前記受信機に送信すべきでない第２の時間期間を示す、
第２の中心周波数の中心に置かれた第２の周波数レンジ内で第２の入力を受信するように前記受信機を再センタリングすることと、ここで、前記受信機を再センタリングすることは、基準のセットに基づき、さらに、前記基準のセットは、第１の基準を備え、前記第１の基準は、前記第１の周波数レンジ内で受信された前記第１の信号の信号対干渉プラスノイズ比（ＳＩＮＲ）がしきい値のＳＩＮＲよりも上であるか、前記第１の周波数レンジ内で受信された前記第２の信号のＳＩＮＲが前記しきい値のＳＩＮＲよりも上であるか、あるいはそれらの組み合わせ、に相当し、
前記ソースに第２のメッセージを送信することと、前記第２のメッセージは、前記ソースが前記受信機に送信すべきである第３の時間期間を示し、
前記ソースから前記受信機において、前記第３の時間期間中に前記第２の周波数レンジ内で前記第２の入力を受信することと、ここで、前記第３の時間期間は,
前記第２の時間期間の後である、
を備える、方法。
【請求項２】
第１のデジタル復号化経路を使用して前記第１の信号を処理することと、
第２のデジタル復号化経路を使用して前記第２の信号を処理することと
をさらに備える請求項１の方法。
【請求項３】
前記第１の信号は、第１の信号周波数に中心を有し、前記第２の信号は、第２の信号周波数に中心を有し、
前記第１の信号周波数および前記第２の信号周波数は、前記第１の周波数レンジ内にある、請求項１の方法。
【請求項４】
前記第２の入力は、前の信号と第３の信号とを備え、
前記前の信号は前記第１の信号または前記第２の信号を含み、
前記第３の信号は、第３の信号周波数に中心を有し、
前記第１の信号と前記第２の信号とのうちの少なくとも１つは、前記第２の周波数レンジ内にあり、
前記第３の信号は、前記第２の周波数レンジ内にある、請求項１の方法。
【請求項５】
前記第１の信号の信号強度、前記第２の信号強度、またはそれらの組み合わせに基づいて前記再センタリング動作を実行することをさらに備える請求項１の方法。
【請求項６】
前記基準のセットは、第２の基準をさらに備え、前記第２の基準は、前記受信された第１の信号がプロトコルに従うか、前記受信された第２の信号が前記プロトコルに従うか、送信されるべき信号が前記プロトコルに従うか、またはそれらの組み合わせに相当する、請求項１の方法。
【請求項７】
前記基準のセットは、第３の基準をさらに備え、前記第３の基準は、前記受信された第１の信号がパケットフォーマットに従うか、前記受信された第２の信号が前記パケットフォーマットに従うか、送信されるべき信号が前記パケットフォーマットに従うか、またはそれらの組み合わせに相当する、請求項１の方法。
【請求項８】
前記第１の信号、前記第２の信号、またはそれらの組み合わせを復号することをさらに備える請求項１の方法。
【請求項９】
前記第１の信号、前記第２の信号、またはそれらの組み合わせのパイロット信号を探索することをさらに備える請求項１の方法。
【請求項１０】
前記第１の信号の信号強度、前記第２の信号の信号強度、またはそれらの組み合わせを決定することをさらに備える請求項１の方法。
【請求項１１】
前記第１の信号の前記信号強度、前記第２の信号の前記信号強度、またはそれらの組み合わせに基づいて、前記第１の入力の増幅レベルを調整することをさらに備える請求項１０の方法。
【請求項１２】
前記第１の無線技術は、音声エアーインターフェイスを備え、前記第２の無線技術は、データのみのエアーインターフェイスを備える、請求項１の方法。
【請求項１３】
前記第１の無線技術の、標準、パケットフォーマット、変調スキーム、またはそれらの組み合わせは、前記第２の無線技術の、相当する標準、相当するパケットフォーマット、相当する変調スキーム、またはそれらの組み合わせと異なる、請求項１の方法。
【請求項１４】
第１の信号と第２の信号とを組み合わせることと、ここで、前記第１の信号は、第１の無線技術を使用して符号化され、前記第２の信号は、第２の無線技術を使用して符号化される、
受信機に前記組み合わされた信号を送信することと、
第１の周波数レンジをわたって受信された前記第１の信号の信号対干渉プラスノイズ比（ＳＩＮＲ）がしきい値のＳＩＮＲよりも上であるか、前記第１の周波数レンジ内で受信された前記第２の信号のＳＩＮＲが前記しきい値のＳＩＮＲよりも上であるか、あるいはそれらの組み合わせ、に相当する基準に基づいて実行される再センタリング動作に応じて、前記受信機に送信することを止めるべき第１の時間期間を示す第１のメッセージを受信することと、
前記受信機に送信すべき第２の時間期間を示す第２のメッセージを受信することと、
前記第２の時間期間中に前記受信機に第２の組み合わされた信号を送信することと、ここで前記第２の時間期間は、前記第１の時間期間の後である、
を備える方法。
【請求項１５】
前記第１の無線技術は、音声エアーインターフェイスを備え、前記第２の無線技術は、データのみのエアーインターフェイスを備える、請求項１４の方法。
【請求項１６】
前記第１の信号を符号化することは、第１のデジタル符号化経路を使用して前記第１の信号を符号化することを備え、前記第２の信号を符号化することは、第２のデジタル符号化経路を使用して前記第２の信号を符号化することを備える、請求項１４の方法。
【請求項１７】
単一のデジタルアナログコンバータを介して前記組み合わされた信号を変換することをさらに備える、請求項１４の方法。
【請求項１８】
単一のＲＦチェーンを使用して前記組み合わされた信号を処理することをさらに備える請求項１４の方法。
【請求項１９】
無線装置であって、
第１の信号と第２の信号とを組み合わせるように構成された加算器と、ここで、前記第１の信号は、第１の無線技術を使用して符号化され、前記第２の信号は、第２の無線技術を使用して符号化される、
受信機に前記組み合わされた信号を送信し、
第１の周波数レンジをわたって受信された前記第１の信号の信号対干渉プラスノイズ比（ＳＩＮＲ）がしきい値のＳＩＮＲよりも上であるか、前記第１の周波数レンジ内で受信された前記第２の信号のＳＩＮＲが前記しきい値のＳＩＮＲよりも上であるか、あるいはそれらの組み合わせ、に相当する基準に基づいて実行される再センタリング動作に応じて、前記受信機に送信することを止めるべき第１の時間期間を示す第１のメッセージを受信し、
前記受信機に送信すべき第２の時間期間を示す第２のメッセージを受信し、
前記第２の時間期間中に前記受信機に第２の組み合わされた信号を送信する、ここで前記第２の時間期間は、前記第１の時間期間の後である、
ように構成されたトランシーバと
を備える無線装置。
【請求項２０】
無線装置であって、
第１の信号と第２の信号とを組み合わせるための手段と、ここで、前記第１の信号は、第１の無線技術を使用して符号化され、前記第２の信号は、第２の無線技術を使用して符号化される、
受信機に前記組み合わされた信号を送信するための手段と、
第１の周波数レンジをわたって受信された前記第１の信号の信号対干渉プラスノイズ比（ＳＩＮＲ）がしきい値のＳＩＮＲよりも上であるか、前記第１の周波数レンジ内で受信された前記第２の信号のＳＩＮＲが前記しきい値のＳＩＮＲよりも上であるか、あるいはそれらの組み合わせ、に相当する基準に基づいて実行される再センタリング動作に応じて、前記受信機に送信することを止めるべき第１の時間期間を示す第１のメッセージを受信するための手段と、
前記受信機に送信すべき第２の時間期間を示す第２のメッセージを受信するための手段と、
前記第２の時間期間中に前記受信機に第２の組み合わされた信号を送信するための手段と、ここで前記第２の時間期間は、前記第１の時間期間の後である、
を備える無線装置。
【請求項２１】
無線通信機器において実行される方法のための命令を記憶するコンピュータ可読記憶媒体であって、前記命令は、
コンピュータに、第１の信号と第２の信号とを組み合させるためのコードと、ここで、前記第１の信号は、第１の無線技術を使用して符号化され、前記第２の信号は、第２の無線技術を使用して符号化される、
前記コンピュータに、受信機に前記組み合わされた信号を送信させるためのコードと
前記コンピュータに、第１の周波数レンジをわたって受信された前記第１の信号の信号対干渉プラスノイズ比（ＳＩＮＲ）がしきい値のＳＩＮＲよりも上であるか、前記第１の周波数レンジ内で受信された前記第２の信号のＳＩＮＲが前記しきい値のＳＩＮＲよりも上であるか、あるいはそれらの組み合わせ、に相当する基準に基づいて実行される再センタリング動作に応じて、前記受信機に送信することを止めるべき第１の時間期間を示す第１のメッセージを受信させるためのコードと、
前記コンピュータに、前記受信機に送信すべき第２の時間期間を示す第２のメッセージを受信させるためのコードと、
前記コンピュータに、前記第２の時間期間中に前記受信機に第２の組み合わされた信号を送信させるためのコードと、ここで前記第２の時間期間は、前記第１の時間期間の後である、
を備えるコンピュータ可読媒体を備えるコンピュータ可読記憶媒体。
【請求項２２】
コンピュータに、請求項１−１３のうちの１つにしたがって前記方法を実行させるプログラム。
【請求項２３】
プログラムを記録したコンピュータ可読記憶媒体であって、前記プログラムがコンピュータに、請求項１−１３のうちの１つにしたがって前記方法を実行させる、コンピュータ可読記憶媒体。
【発明の詳細な説明】
【技術分野】
【０００１】
関連出願の相互参照
この出願の請求項は１１９条の下で、（１）「Ｓｙｓｔｅｍ  ａｎｄ  ｍｅｔｈｏｄ  ｆｏｒ  ｒｅｓｏｌｖｉｎｇｃｏｎｆｌｉｃｔｓ ｂｅｔｗｅｅｎ  ａｉｒ  ｉｎｔｅｒｆａｃｅｓ  ｉｎ  ａ  ｗｉｒｅｌｅｓｓ  ｃｏｍｍｕｎｉｃａｔｉｏｎ」とタイトルが付けられ、２００９年５月１４日に出願され、弁護士ドケット番号０９２１４６Ｐ１を持つ、米国仮出願第６１／１７８，３３２号、（２）「Ａｌｌｏｃａｔｉｎｇ  ｔｒａｎｓｍｉｔ  ｐｏｗｅｒ  ａｍｏｎｇ  ｍｕｌｔｉｐｌｅ  ｉｎｔｅｒｆａｃｅｓ」とタイトルが付けられ、２００９年５月１４日に出願され、弁護士ドケット番号０９２１１９Ｐ１を持つ、米国仮出願第６１／１７８，４５２号、および（３）「Ｓｙｓｔｅｍ  ａｎｄ  ｍｅｔｈｏｄ  ｆｏｒ  ｄｒｏｐｐｉｎｇ  ａｎｄ  ａｄｄｉｎｇ  ａｎ  ａｉｒ  ｉｎｔｅｒｆａｃｅ  ｉｎ  ａ  ｗｉｒｅｌｅｓｓ  ｃｏｍｍｕｎｉｃａｔｉｏｎ  ｓｙａｔｅｍ」とタイトルが付けられ、２００９年５月１４日に出願され、弁護士ドケット番号０９２１３２Ｐ１を持つ、米国仮出願第６１／１７８，３３８号に対して優先権を主張する。上記参照出願は、それら全体の参照によって本文中に組み込まれる。
【０００２】
本出願は、一般的に関連し、もっと具体的にいうと無線通信システムのための受信機に関連する。
【背景技術】
【０００３】
無線通信システムは、音声、ビデオ、パケットデータ、メッセージング、放送などのような様々な通信サービスを供給するため幅広く展開される。これらのシステムは、利用可能なシステムのリソースを共有することによって複数の利用者をサポートする能力のあるマルチアクセスシステムとすることができる。そのようなマルチアクセスシステムの例は、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、時号分割多元接続（Ｔｉｍｅ  Ｄｉｖｉｓｉｏｎ  Ｍｕｌｔｉｐｌｅ  Ａｃｃｅｓｓ：ＴＤＭＡ）システム、周波数分割多元接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）システム、直交周波数分割多元接続（Ｏｒｔｈｏｇｏｎａｌ  ＦＤＭＡ：ＯＦＤＭＡ）システム及びシングルキャリア周波数分割多元接続（Ｓｉｎｇｌｅ−Ｃａｒｒｉｅｒ  ＦＤＭＡ：ＳＣ−ＦＤＭＡ）システムを含む。
【０００４】
現在の無線通信システムは、複数のエアーインターフェイス（例えば、１ｘ、１ｘアドバンス、ＤＯ、ＵＭＴＳ（ＨＳＰＡ＋）、ＧＳＭ（登録商標）、ＧＰＲＳ、ＥＤＧＥなど）上で同時に通信するために最適化されていない。したがって、無線通信システムが効率的に複数のエアーインターフェイス上で同時に通信できる必要がある。
【発明の概要】
【０００５】
発明のシステム、方法、及び機器はそれぞれ、希望する属性に対して責任があるものは一つもない、いくつかの態様を持つ。次の請求項によって表現されたこの発明の範囲に限定することなく、現在それらの際立った特徴は簡潔に議論されるだろう。この議論を考慮した後、そして特に「ある実施例の詳細な記述」とタイトル付けられた節を読んだ後、人はどのようにこの発明の特徴が複数のエアーインターフェイス上の同時通信を含む利点を供給するか理解するだろう。
【０００６】
開示の１つの態様は、第１時間期間中に第１入力を受信することであって、ここで第１入力は第１信号及び第２信号を備え、ここで第１信号は第１無線技術を使用し符号化され第２信号は第２無線技術を使用し符号化される、第１時間期間中に第１入力を受信することと、第１入力をアナログ領域からデジタル領域へ変更することと、及びデジタル領域で第１入力を第１信号と第２信号に分けることと、の方法である。
【０００７】
この開示の他の態様は、第１信号と第２信号を組み合わせることで、第１信号は第１無線技術で符号化され第２信号は第２無線技術で符号化される、第１信号と第２信号を組み合わせることと、組み合わされた信号をデジタル領域らアナログ領域に変えることと及び組み合わされた信号を送信することと、の方法である。
【０００８】
この開示の他の態様は、第１時間期間中に第１入力を受信するために構成されるアンテナであって、ここで第１入力は第１信号及び第２信号を備え、ここで第１信号は第１無線技術を使用し符号化され第２信号は第２無線技術を使用し符号化される、第１入力を受信するために構成されるアンテナと、第１入力をアナログ領域からデジタル領域へ変えるアナログデジタルコンバータと、及びデジタル領域において第１入力を第１信号と第２信号に分けるように構成される、少なくとも１つの回転機と、を備える無線装置。
【０００９】
この開示の他の態様は、第１信号と第２信号を組み合わせるように構成される加算器であって、第１信号は第１無線技術で符号化され第２信号は第２無線技術で符号化される、加算器、組み合わされた信号をデジタル領域からアナログ領域へ変えるデジタルアナログコンバータ、及び組み合わされた信号を送信するように構成されるアンテナを備える無線装置である。
【００１０】
この開示の他の態様は、第１時間期間中に第１入力を受信するための手段であって、第１入力は第１信号及び第２信号を備え、第１信号は第１無線技術を使用し符号化され第２信号は第２無線技術を使用し符号化される、第１時間期間中に第１入力を受信するための手段と、第１入力をアナログ領域からデジタル領域へ変えるための手段と、及びデジタル領域において第１入力を第１信号と第２信号に分けるための手段と、を備える無線機器である。
【００１１】
この開示の他の態様は、第１信号と第２信号を組み合わせるための手段であって、第１信号は第１無線技術を使用し符号化され第２信号は第２無線技術を使用し符号化される、手段と、組み合わされた信号をデジタル領域からアナログ領域へ変えるための手段と、及び組み合わされた信号を送信するための手段と、を備える無線装置である。
【００１２】
この開示の他の態様は、第１時間期間中にコンピュータに第１入力を受信させるためのコードであって、第１入力は第１信号及び第２信号を備え、第１信号は第１無線技術を使用し符号化され第２信号は第２無線技術を使用し符号化される、第１時間期間中にコンピュータに第１入力を受信させるためのコードと、コンピュータに第１入力をアナログ領域からデジタル領域へ変更させるためのコードと、及びコンピュータにデジタル領域において第１入力を第１信号と第２信号に分けさせるためのコードと、を備えるコンピュータ可読媒体を備えるコンピュータプログラム製品である。
【００１３】
この開示の他の態様は、コンピュータに第１信号と第２信号を組み合させるためのコードであって、第１信号は第１無線技術を使用し符号化され第２信号は第２無線技術を使用し符号化される、コードと、コンピュータに組み合わされた信号をデジタル領域からアナログ領域へ変更させるためのコードと、コンピュータに組み合わされた信号を送信させるためのコードと、を含むコンピュータ可読媒体を備えるコンピュータプログラム製品である。
【図面の簡単な説明】
【００１４】
【図１】図１は、２つのエアーインターフェイス上で同時通信によって繋がれた無線通信機器を示すブロック図である。
【図２】図２は、無線通信機器の機能ブロック図である。
【図３】図３は、図２に示されるような無線通信機器の典型的な受信機の機能ブロック図である。
【図４】図４は、図２に示されるような無線通信機器の典型的な送信機の機能ブロック図である。
【図５】図５は、図３に示されるような受信機を使用する複数のエアーインターフェイス上の信号を受け取る典型的なプロセスを示す。
【図６】図６は、図３に示されるような送信器を使用する複数のエアーインターフェイス上の信号を送信する典型的なプロセスを示す。
【図７】図７は、一つ又はそれ以上のエアーインターフェイスを使用する複数の（Ｎ）信号の典型的な送信を示す。
【図８】図８は、一つ又はそれ以上のエアーインターフェイスを使用する複数の（N）信号の典型的な送信の符号化すること及び／又は復号することを示す。
【図９】図９は、図２に示されたようなトランシーバを再センターリングする典型的なプロセスの流れ図である。
【図１０】図１０は、図２で示されたような無線通信機器の他の典型的な受信機の機能ブロック図である。
【図１１】図１１は、図２に示されたような無線通信デバイスのもうひとつの典型的な送信機の機能ブロック図である。
【詳細な説明】
【００１５】
「典型的な（ｅｘｅｍｐｌｙ）」という単語は、本文中では「例（ｅｘａｍｐｌｅ）、実例（ｉｎｓｔａｎｃｅ）、又は事例（ｉｌｌｕｓｔｒａｔｉｏｎ）として役立つ」という意味である。本文中に「典型的な」として記述された実施は、他の実施より好ましい又は利点があると解釈する必要はない。本文中に記載された技術は、符号分割多元接続（ＣＤＭＡ）ネットワーク、時号分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどのような様々な無線通信ネットワークのために使用できる。「ネットワーク」及び「システム」という用語は、しばしば区別なく使われる。次は、本文中に記載された方法と機器により使用されることができる別の無線技術の例である。様々なユニバーサルテレストラルラジオアクセス（Ｕｎｉｖｅｒｓａｌ  Ｔｅｒｒｅｓｔｒｉａｌ  Ｒａｄｉｏ  Ａｃｃｅｓｓ：ＵＴＲＡ）無線技術、様々なｃｄｍａ２０００無線技術、広帯域ＣＤＭＡ（Ｗｉｄｅｂａｎｄ−ＣＤＭＡ：Ｗ−ＣＤＭＡ）)、ローチップレート（Ｌｏｗ  Ｃｈｉｐ  Ｒａｔｅ：ＬＣＲ）、ＩＳ−２０００、ＩＳ−９５、ＩＳ−８５６、モバイルコミュニケーションのためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ：ＧＳＭ（登録商標））、発展したＵＴＲＡ（Ｅｖｏｌｖｅｄ  ＵＴＲＡ：Ｅ−ＵＴＲＡ）、ＩＥＥＥ８０２．１１、ＩＥＥＥ８０２．１６、ＩＥＥＥ８０２．２０、フラッシュＯＦＤＭ（Ｆｌａｓｈ−ＯＦＤＭ）、ロングタームエボリューション（Ｌｏｎｇ  Ｔｅｒｍ  Ｅｖｏｌｕｔｉｏｎ：ＬＴＥ）など。ＴＲＡ、Ｅ−ＵＴＲＡ、及びＧＳＭ（登録商標）は、ユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部である。ロングタームエボリューション（ＬＴＥ）は、Ｅ−ＵＴＲＡを使用するＵＭＴＳのまもなくやってくるリリースである。ＵＴＲＡ、Ｅ−ＵＴＲＡ、ＧＳＭ（登録商標）、ＵＭＴＳ及びＬＴＥは、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）と名付けられた組織からの文章に記載されている。ｃｄｍａ２０００は、「第３世代パートナーシッププロジェクト２（３ｒｄ  Ｇｅｎｅｒａｔｉｏｎ  Ｐａｒｔｎｅｒｓｈｉｐ  Ｐｒｏｊｅｃｔ  ２）」（３ＧＰＰ２）と名付けられた組織からの文章に記載されている。これらの様々な無線技術と標準は技術として知られている。
【００１６】
シングルキャリア変調及び周波数領域均等化を利用するシングルキャリア周波数分割多元接続（ＳＣ−ＦＤＭＡ）は、技術である。ＳＣ−ＦＤＭＡは、同様の性能及び本質的にＯＦＤＭＡシステムの複雑さと同様の全体的な複雑さを持っている。ＳＣ−ＦＤＭＡ信号は、固有のシグナルキャリア構造により、低いピーク対平均電力の比（ｐｅａｃｋ−ｔｏ−ａｖｅｒａｇｅ  ｒａｔｉｏ：ＰＡＰＲ）を持つ。ＳＣ−ＦＤＭＡは、低いＰＡＰＲが送信電力の点でモバイル端末に大いに役立つアップリンクに特に大きな注意を引き寄せた。それは、現在３ＧＰＰロングタームエボリューション（ＬＴＥ）、又は発展したＵＴＲＡにおけるアップリンクマルチアクセススキームのための効果がある仮定である。
【００１７】
方法と機器は本文中に複数のエアーインターフェイス上の同時通信に関連して記述される（例えば、それぞれ異なる標準、パケットフォーマット、及び／又は調整スキームを利用するマルチ無線技術）。例えば、無線通信機器は第１エアーインターフェイス（例えば、1xRTT）上で音声を、第２エアーインターフェイス（例えば、ＥＶＤＯ、 １ｘＡｄｖａｎｃｅｄ、ＤＯ (リリース０, 改訂Ａ 又はＢ)、ＵＭＴＳ（ＨＳＰＡ＋）、ＧＳＭ（登録商標）、ＧＰＲＳ、及びＥＤＧＥ技術）上でデータのみを、伝達することができる。１ｘ、１ｘＲＴＴ、及びＩＳ−２０００としてすでに知られる１ｘＲＴＴは、１倍の無線送信技術の略語である。ＥＶ又はＤＯと略されるＥＶＤＯは、エボリューションデータのみ（Ｅｖｏｌｕｔｉｏｎ−Ｄａｔａ  Ｏｎｌｙ）の略語である。１ｘＲＴＴとＥＶＤＯの両方は、ＣＤＭＡ２０００（符号分割多元接続２０００）のタイプと考えられている３ＧＰＰ２（第３世代パートナーシッププロジェクト）によって維持される無線通信を通じてデータの無線送信のための電気通信である。
【００１８】
明快さのために、方法と機器の明らかな態様はＩＳ−８５６を実行するＨＲＰＤシステムのために記述される。ＨＲＰＤもＣＤＭＡ２０００  １ｘＥＶＤＯ（最適化されたエボリューションデータ（Ｅｖｏｌｕ−ｔｉｏｎ−Ｄａｔａ  Ｏｐｔｉｍｉｚｅｄ））、１ｘＥＶ−ＤＯ、１ｘ−ＤＯ、ＤＯ、ハイデータレート（Ｈｉｇｈ  Ｄａｔａ  Ｒａｔｅ：ＨＤＲ）など呼ばれる。「ＨＲＰＤ」、「ＥＶ−ＤＯ」、及び「ＤＯ」という用語は、しばしば区別なく使用される。ＨＲＰＤは、「ｃｄｍａ２０００ハイデータレートパケットエアーインターフェイス仕様書（Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）」とタイトル付けられ、２００７年３月を日付けられ、公に利用可能な３ＧＰＰ２  Ｃ．Ｓ００２４−Ｂに記述される。明快さのために、ＨＲＰＤという用語は以下の記述に多く使用される。
【００１９】
本文中に記載された方法及び機器は、アクセスポイントとしてアクセス端末として利用されてもよい。アクセスポイントは、一般的に、アクセス端末で通信をする固定された局であり、また基地局、ノードＢなどと呼ばれることもある。アクセス端末は固定され又は移動でき、移動局、ユーザー設備（ｕｓｅｒ  ｅｑｕｉｐｍｅｎｔ：ＵＥ）、モバイル設備、端末、加入者ユニット、局などと呼ばれる。アクセス端末は、携帯電話、携帯情報端末（ｐｅｒｓｏｎａｌ  ｄｉｇｉｔａｌ  Ａｓｓｉｓｔａｎｔ：ＰＤＡ）、ハンドセット、無線通信機器、ハンドヘルド機器、無線モデム、ラップトップコンピュータなどであることができる。明快さのために、方法及び機器のアクセス端末への利用は、以下に記述される。
【００２０】
本文中の方法及び機器は、一つ又は複数の信号の受信及び送信は同時に調和する。それぞれの信号は、一つ又はそれ以上のエアーインターフェイスを使用する異なるチャネルを利用し送信されることができる。チャネルは、一つの信号のための周波数チャネルである。チャネルも普通はキャリアと呼ばれる。
【００２１】
図１は、２つのエアーインターフェイス上の同時通信において繋がれた無線通信機器を示すブロック図である。それぞれ無線通信機器１０は、それ自身と一つ若しくはそれ以上のアクセスポイント１３０の間に同時に第１エアーインターフェイスと第２エアーインターフェイスを同時に設立することができる。一つの実施例では、第１エアーインターフェイス１１０は、第１周波数若しくは周波数帯によって定義された第１チャネルに設立され、一方、第２エアーインターフェイス１２０は第１周波数若しくは周波数帯とは異なる第２周波数若しくは周波数帯によって定義された第２チャネルに設立される。
【００２２】
一つの実施例では、第１エアーインターフェイス１１０は１ｘＲＴＴトラフィックをサポートし、第２エアーインターフェイス１２０はＥＶＤＯトラフィックをサポートする。他の実施例では、第１エアーインターフェイス１１０又は第２エアーインターフェイス１２０は、1xアドバンス（１ｘＡｄｖａｎｃｅｄ）、ＤＯ (リリース０、 改訂Ａ又はＢ)、ＵＭＴＳ（ＨＳＰＡ＋）、ＧＳＭ（登録商標）、ＧＰＲＳ及びＥＤＧＥ技術をサポートする。
【００２３】
図２は、無線通信機器の機能ブロック図である。無線通信機器１０は、メモリ２２０、入力機器２３０及び出力機器２４０とデータ通信するプロセッサ２１０を含む。さらにプロセッサはトランシーバ２６０とデータ通信する。トランシーバ２６０は、アンテナ２７０ともデータ通信する。別々に記述されたが、それは無線通信機器１０と関連して記述された機能ブロックは別々の構造上の要素とする必要はないと評価される。例えば、プロセッサ２１０とメモリ２２０は、単一のチップ内に組み入れられることができる。同時に、２つ又はそれ以上のプロセッサ２１０、とトランシーバ２６０は、単一のチップ内に組み入れられることができる。
【００２４】
プロセッサ２１０は、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）又はその他のプログラマブル論理機器、ディスクリートゲート若しくはトランジスタ論理、ディスクリートハードウェアコンポーネント、又はその他ここに記述された機能を実現するために設計された適切な組み合わせとすることができる。プロセッサも、例えばＤＳＰとマイクロプロセッサの組み合わせ、複数マイクロプロセッサ、ＤＳＰコアに接続された１つ又はそれ以上のマイクロプロセッサ、又は配列のようなその他すべてのコンピューティングデバイスの組み合わせにより実現されることができる。
【００２５】
プロセッサ２１０は、メモリ２２０から情報を読み又は情報を書き込むため、１つ又はそれ以上のバスで繋がれている。代案としては、プロセッサは、さらにプロセッサレジスタのようなメモリを含むことができる。メモリ２２０は、異なる階層は異なる容量とアクセススピードを持つ複数のレベル階層キャッシュを含むプロセッサキャッシュを含むことができる。メモリ２２０は、ランダムアクセスメモリ（ｒａｎｄｏｍ  ａｃｃｅｓｓ  ｍｅｍｏｒｙ：ＲＡＭ）、他の揮発性記録機器又は不揮発性記録機器をも含むことができる。記憶装置は、ハードドライブ、コンパクトディスク（ｃｏｍｐａｃｔ  ｄｉｓｃ：ＣＤ）あるいはディジタルビデオディスク（ｄｉｇｉｔａｌ  ｖｉｄｅｏ  ｄｉｓｃ：ＤＶＤ）のような光学ディスク、フラッシュメモリ、フロッピー（登録商標）ディスク、磁気テープおよびジップ・ドライブを含むことができる。
【００２６】
プロセッサ２１０は、それぞれ無線通信機器１０の利用者から入力を受け取ること及び出力を供給することのため入力機器２３０と出力機器２４０も接続されている。適切な入力機器は、キーボード、ボタン、キー、スイッチ、ポインティングデバイス、マウス、ジョイスティック、リモートコントロール、赤外線検出器、ビデオカメラ（例えば手のジェスチャー又は顔のジェスチャーを検出するためにおそらくビデオ処理ソフトウェアにつながれる）、モーション検出器、あるいはマイクロホン（例えば音声コマンドを検出するためにおそらく音声処理ソフトウェアにつながれる）を含むが、それに限定されない。適切な出力装置は、ディスプレイとプリンタを含む視覚的な出力装置、スピーカー、ヘッドホン、イヤホン並びにアラームを含む音声出力装置、及び力フィードバックゲームコントローラ及び振動する機器を含む触覚出力装置を含むが、それに限定されない。
【００２７】
プロセッサ２１０は、さらにトランシーバ２６０に接続されている。トランシーバ２６０は、１つ又はそれ以上のモデムを含むことができる。トランシーバ２６０は、１つ又はそれ以上のエアーインターフェイス標準に従い、アンテナ２７０を通じた無線送信のための２１０プロセッサにより作られたデータを準備する。トランシーバ２６０は、さらに１つ又はそれ以上のエアーインターフェイス標準に従い、アンテナ２７０を通じて受け取ったデータを復調する。トランシーバは、送信器、受信機、又は両者を含むことができる。他の実施例では、送信器と受信機は、２つの別々のコンポーネントである。トランシーバ２６０は、汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理機器、ディスクリートゲート若しくはトランジスタ論理、ディスクリートハードウェアコンポーネント、又はその他ここに記述された機能を実現するために設計された適切な組み合わせとすることができる。
【００２８】
コスト、より低い電力消費を削減し、確実性を改善し、及び他の利益を得るために、できるだけ電気回路を使用せずに複数チャネル上で送られる１つ又はそれ以上の信号の送信及び／又は受信をサポートすることは望ましいかもしれない。従って、受信機並びに送信器の実施例は、それぞれ単一ＲＦ受信チェーン及び単一ＲＦ送信チェーンを使うものとして、本文中に記述される。それぞれＲＦチェーンは、広帯域であり、そして、おのおの１つ又はそれ以上のエアーインターフェイスを使用する複数チャネル上で複数の信号を送信及び受信のため設計されることできる。
【００２９】
図３は、無線通信機器の典型的な受信機３００の機能ブロック図である。図３は、図２のトランシーバ２６０内に組み入れられることができる典型的なコンポーネントを示す。受信機３００は、以下に議論されるような構成可能な周波数レンジ上で信号を受信するように構成されることができる。受信機３００は、単一ＲＦ受信チェーン３０１とデジタルセクション３０２を含む。デジタルセクション３０２は、Ｎデジタルプロセスチェーン３０４に分けられる。それぞれデジタルプロセスチェーンは、エアーインターフェイスの特定のタイプを利用して送られる信号のための復号経路に相当することができる。それぞれエアーインターフェイスは、異なる符号化スキームを利用することができ、それゆえ信号を復号するための異なる複合ハードウェアを要求することができる。２つの典型的な経路が記述されるが、他の同様の経路も記述された経路に加え又は代わりに供給されることができる。第１経路３０４ａは、ＤＯ信号のような高データレート信号のための調整経路に相当する。第２経路３０４ｎは、１ｘＲＴＴ信号のような音声信号のための調整経路に相当する。
【００３０】
単一ＲＦ受信チェーン３０１は、複数のエアーインターフェイス上で送信される複数の信号からなる信号を受信するように構成される。したがって、複数のエアーインターフェイス上で複数の信号を受信するためＲＦ受信チェーンでそれぞれのコンポーネントの複数コピーを要求する代わりに、それぞれのコンポーネントの単一コピーだけが必要とされる。さらに、デジタルセクション３０２のコンポーネントは、複数のエアーインターフェイス上で受信される複数の信号を処理するために共有されることができる。例えば、単一のアナログデジタルコンバータを信号デジタルローパスフィルターは、複数の信号を処理するために利用されることができる。これは、受信機２６０のコスト及び／又は複雑さを減少させることができる。
【００３１】
ＲＦ受信チェーン３０１は、スーパーヘテロダインアーキテクチャー又はダイレクトコンバージョンアーキテクチャーを実行することができる。スーパーヘテロダインアーキテクチャーでは、受信されたＲＦ信号は、例えば、１つのステージではＲＦから中程度周波数（ｉｎｔｅｒｍｅｄｉａｔｅ  ｆｒｅｑｕｅｎｃｙ：ＩＦ）へ、その結果他のステージではＩＦからベースバンドへ、複数のステージで周波数について下方変換される。ゼロＩＦアーキテクチャーと呼ばれるダイレクトコンバージョンアーキテクチャーでは、受信されたＲＦ信号は、１つのステージで直接ＲＦからベースバンドへ周波数について下方変換される。スーパーヘテロダイン並びにダイレクトコンバージョンアーキテクチャーは、異なる回路ブロックを使用することができ、及び／又は異なる回路の要求を持つことができる。次の記述は、ダイレクトコンバージョンアーキテクチャーの使用を仮定する。
【００３２】
信号は、アンテナ２７０で受信され、ＲＦ受信チェーン３０１に送られる。受信された信号は複数のエアーインターフェイス上で送られた複数の信号を備えることができる。ＲＦ受信チェーン３０１内では、低ノイズ増幅器（ｌｏｗ  ｎｏｉｓｅ  ａｍｐｌｉｆｉｅｒ：ＬＮＡ）３１０は、増幅ＧＬＮＡで信号を受信及び増幅することができ、増幅されたＲＦ信号を供給することができる。増幅ＧＬＮＡは、受信した信号の複数の信号のそれぞれの受信した信号の強度（ｄＢで測られたＲｘ自動増幅制御（Ａｕｔｏｍａｔｉｃ  Ｇａｉｎ  Ｃｏｎｔｒｏｌ：ＡＧＣ））に基づいて計算される。例えば、信号のＲｘ  ＡＧＣは、しきい値未満であるかもしれない。しきい値は、信号が処理されることを可能にするためには十分な値であるかもしれない。もし信号のＲｘ  ＡＧＣが低すぎる場合、ＧＬＮＡは増加されることができる。１つの実施例では、ただ１つのＬＮＡは同じＧＬＮＡを複数の信号に適用し、ＧＬＮＡは、Ｒｘ  ＡＧＣが全ての信号のため十分であることを確かるための最も弱い信号に基づく。別の実施例では、ＧＬＮＡは、加えられた基準らはもちろん、最も弱い信号に基づくことができる。例えば、もし最も弱い信号に基づくＧＬＮＡによって増幅された場合、受信機３００は、１つの信号が受信機３００のアナログデジタルコンバータ（ａｎａｌｏｇ−ｔｏ−ｄｉｇｉｔａｌ  ｃｏｎｖｅｒｔｅｒ：ＡＤＣ）を飽和させる信号強度を持つか判断することができる（例えば、信号はＡＤＣ３５０の入力レンジより大きい）。飽和を避けるため、ＧＬＮＡは他の受信された信号に基づくことができ、最も弱い信号は消されることができ（例えば、受信された周波数レンジは最も弱い信号を含まないレンジに対して構成されることができる）又は未使用になることができる。Ｒｘ  ＡＧＣは、以下に議論されるようにデジタルセクション３０２を使用する複数の信号のそれぞれのため、測定されることができる。
【００３３】
バンドパスフィルター３２０は、帯域外信号成分を取り除き、入力ＲＦ信号を供給するため、ＬＮＡ３１０からの信号をフィルターすることができる。バンドパスフィルター３２０は、表面弾性波（ｓｕｒｆａｃｅ  ａｃｏｓｔｉｃ  ｗａｖｅ：ＳＡＷ）フィルター、セラミックフィルター又はフィルターのいくつかの他のタイプであることができる。ミキサー３３０は、ＬＯジェネレータからの周波数ｆｃのアナログ個別発振器（ｌｏｃａｌ  ｏｓｃｉｌｌａｔｏｒ：ＬＯ）信号により入力ＲＦ信号をＲＦからベースバンドへ周波数について下方変換することができる。ＬＯジェネレータは電圧制御発振器（ｖｏｌｔａｇｅ  ｃｏｎｔｒｏｌｌｅｄ  ｏｓｃｉｌｌａｔｏｒ：ＶＣＯ）、位相同期ループ（ｐｈａｓｅ  ｌｏｃｋｅｄ  ｌｏｏｐ：ＰＬＬ）、基準発振器などを含むことができる。任意に、利得可変増幅器（ｖａｒｉａｂｌｅ  ｇａｉｎ  ａｍｐｌｉｆｉｅｒ：ＶＧＡ）は、増幅ＧＶＧＡでミキサー３３０から下方変換された信号を増幅することができる。任意に、加算器は、ＶＧＡからの増幅された信号内のＤＣオフセットを取り除くため、きめの粗いＤＣオフセットの見込みを加えることができる。アナログローパスフィルター３４０は、シグナルをフィルターし、デジタルセクション３０２にアナログベースバンド信号を供給することができる。
【００３４】
デジタルセクション３０２では、アナログデジタルコンバータ（ＡＤＣ）３５０は、ｆＡＤＣのサンプリングレートでアナログベースバンド信号をデジタル化することでき、１つ又はそれ以上のサンプルストリームを供給することができる。ＡＤＣサンプリングレートは、同時に受信できるエアーインターフェイスの数及びタイプにより、決定され選択されることができる。あるいは、ＡＤＣサンプリングレートは受信されているエアーインターフェイスの数及びタイプに基づき、構成され、かつ選択されることができる。任意に、プリプロセッサは、ＡＤＣ３５０からの１つ又はそれ以上のサンプルストリームで前処理を実行することができる。それから、サンプルストリームはデジタルフィルター３５０へ送られることができる。デジタルフィルター３５０は、不要な信号成分を除去するため、サンプルストリームをフィルターすることができる。それから、サンプルストリームは、Ｎデジタルプロセスチェーン３０４ａから３０４ｎのそれぞれへ供給されることができる。デジタルプロセッサチェーン３０４ａ並びに３０４ｎは、以下に記述される。サンプルストリームは、複数のエアーインターフェイスを使って送られるデータを備えることができる。
【００３５】
デジタルプロセスチェーン３０４ａは、第１エアーインターフェイスを使い送信される第１信号及び一つ又はそれ以上の追加の信号を備えるサンプルストリームを備えることができる。回転機３７０ａは、デジタルダウンコンバータとして動作することができ、デジタルＬＯ信号によって入力サンプルストリームを周波数について下方変換することができ、第１エアーインターフェイスを使い送信される第１信号の下方変換されたサンプルストリームを供給することができる。回転機３７０aは、中心周波数ｆ１によって入力サンプルストリームを増やすことができ、そして中心周波数ｆ１は第１信号が送信された中心周波数チャネルである。デジタルフィルター３８０aは、デジタル下方変換及びその他望まない信号成分から生じる画像を取り除くため下方変換されたサンプルストリームをフィルターすることができる。
【００３６】
フィルターされた信号は、入力信号を処理する受信機フロントエンド３８５aに送られることができる。フロントエンド３８５aは、信号のＲｘ  ＡＧＣを測定することができる。以上に議論されるように、信号のＲｘ  ＡＧＣはＬＮＡ３１０の増幅ＧＬＮＡを制御するために使用されることができる。Ｒｘ  ＡＤＣは、信号が受信される周波数を加えるべきか落とすべきか判断するためにも使用されることができる。例えば、もし現在受信している周波数レンジ内の合計力がＡＤＣ３５０を飽和させる場合（例えば、受信した信号は、ＡＤＣ３５０の入力範囲を超える）、いくつかの信号は落とされることができる。信号は、ＡＤＣ３５０を飽和させる信号のいくつかを含めないために、例えば周波数レンジを構成することによって（レンジを減少させること又はレンジをシフトすることによって）落とされることができる。例えば、いくつかの信号は他の信号（例えば音声信号は他の信号より好まれることができる。）よりも好まれることができ、その結果、信号が落ちるかどうか判断されると、好まれない信号は最初に落とされることができる。さらに、フロントエンド３８５aは、望まれた振幅を得るため及び一時的にサンプルストリームを格納するサンプルランダムアクセスメモリ（ＲＡＭ）３９０aに出力サンプルストリームを供給するため、フィルターされたサンプルを縮尺することができる。
【００３７】
サンプルストリームはサーチャー３９１aによってサンプルＲＡＭ３９０aからアクセスされることができる。サーチャー３９１aは、サンプルストリーム内において中心周波数ｆ１上で受信されるパイロット信号を探すように構成されることができる。パイロット信号は、アクセスポイントのような他の通信機器によって送られることができる。パイロット信号は、アクセスポイントから受信した信号の強度を決定するため、既知の参照信号を備えることができる。既知の参照信号は、信号の質を判断するために受信参照信号と比較されることができる。アクセスポイントから受信された信号の強度は、Ｅｃｐ/Ｉｏ比率（パイロット信号のエネルギーと干渉信号のエネルギーの比率）又は信号ノイズ比率を備えることができる。パイロット信号は、オフセット疑似ノイズ（ｐｓｅｕｄｏ  ｎｏｉｓｅ：ＰＮ）ショートコードを備えることができる。オフセットＰＮショートコードは、アクセスポイント及び／又はアクセスポイントタイプ（例えば、フェムト、マクロ、ピコ）を識別する数値のコード又は配列を備えることができる。オフセットＰＮショートコードは、ＰＮオフセットで適用されたＰＮショートコードを備えることができる。ＰＮオフセットは、ＰＮショートコードに適用された正しいネットワーク同期時間からの遅延を指し示すことができる。１つの実施例では、アクセスポイントの全ては、同一のＰＮショートコードを使用することができる。しかしながら、異なるＰＮオフセットは、異なるアクセスポイントのためのＰＮショートコードに適用されることができる。したがって、ＰＮオフセットはオフセットＰＮショートコードに関連し、「ＰＮオフセット」及び「オフセットＰＮショートコード」という用語は、ここでは区別なく使用されることができる。従って、パイロット信号をサンプル信号において異なるＰＮオフセットと同一視することによって、サーチャー３９１aは中心周波数ｆ１上で送信する追加のアクセスポイントを識別することができる。
【００３８】
サンプルストリームは、レーキ受信機及び／又はイコライザー受信機を備えるレーキ／イコライザー受信機３９２によってサンプルＲＡＭ３９０aからアクセスされることができる。レーキ／イコライザー受信機３９２は、信号を処理する。レーキ受信機はいくつかの操作手順（例えば、低いＳＮＲ）のために選択され、イコライザー受信機は他の操作手順（例えば、高いＳＮＲ及び／又ハイデータレート）のために選択されることができる。一般に、レーキ受信機かイコライザー受信機かは、どちらがよりよい性能を提供することができるかにより選択されることができる。それから、信号は、さらなる処理のために信号をバッファーするため復調シンボルバッファー３９５aに送られる。信号は、信号を送信する送信器により実現されるインターリーブに補完的な方法でシンボル推定値を出インターリーブ（又は再オーダー）することができるデインターリーバー３９６ａによって、バッファーからアクセスされる。デコーダー３９８a（例えば、ターボデコーダー）は、デンターリーブされたシンボル推定値を復号することができ、復号されたデータを供給することができる。
【００３９】
デジタルプロセスチェーン３０４ｎは、第２エアーインターフェイスを使用して送られる第２信号及び１つ又はそれ以上の追加の信号を備えることができる、サンプルストリームを受信する。回転機３７０ｎは、デジタルダウンコンバータとして作動することができ、デジタルＬＯ信号により入力サンプルストリームを周波数について下方変換し、第２エアーインターフェイスを使用して送られる第２信号の下方変換されたサンプルストリームを供給することができる。回転機３７０ｎは、中心周波数ｆｎによって入力ストリームサンプルを増加させることができ、ここで中心周波数は第２信号が送信された中心周波数チャネルである。デジタルフィルター３８０ｎは、デジタル下方変換及びその他望まない信号成分から生じる画像を取り除くため下方変換されたサンプルストリームをフィルターすることができる。
【００４０】
フィルターされた信号は、入力信号を処理する受信機フロントエンド３８５ｎへ送られることができる。フロントエンド３８５ｎは、信号のＲｘ  ＡＧＣを測定することができる。上記で議論されるように、信号のＲｘ  ＡＧＣはＬＮＡ３１０の増幅ＧＬＮＡを制御するために使用されることができる。さらに、フロントエンド３８５ｎは、望まれた振幅を得るため及び一時的にサンプルストリームを格納するサンプルランダムアクセスメモリ（ＲＡＭ）３９０ｎに出力サンプルストリームを供給するため、フィルターされたサンプルを縮尺することができる。
【００４１】
サンプルストリームはサーチャー３９１ｎによってサンプルＲＡＭ３９０ｎからアクセスされることができる。サーチャー３９１ｎは、サンプルストリーム内において中心周波数ｆｎ上で受信されるパイロット信号を探すように構成されることができる。パイロット信号をサンプル信号において異なるＰＮオフセットを識別することによって、サーチャー３９１ｎは中心周波数ｆｎ上で送信する追加のアクセスポイントを識別することができる。
【００４２】
サンプルストリームは、ＣＤＭＡ復調器３９３によってサンプルＲＡＭ３９０nからもアクセスされることができる。技術において知られているように、ＣＤＭＡ復調器３９３は、入力ＣＤＭＡをシンボルの中に復調する。それから、信号は、さらなる処理のために信号をバッファーするため復調シンボルバッファー３９５aに送られる。信号は、信号を送信する送信器により実現されるインターリーブに補完的な方法でシンボル推定値をデインターリーブ（又は再オーダー）することができるデインターリーバー３９６nによって、バッファーからアクセスされる。デコーダー３９８ｎ（例えば、ビタビデコーダー）は、デインターリーブされたシンボル推定値を復号することができ、復号されたデータを供給することができる。一般に、それぞれ受信した信号のため受信機３００による処理は、送信器又はアクセスポイントによって受信した信号のため実行される処理に依存する。受信機３００は、１つ又はそれ以上のエアーインターフェイスを利用し送信される１つ又はそれ以上の送信器と関連して使用されることができる。
【００４３】
ＡＤＣ３５０は、低周波数から高周波数に押すような量子化雑音をスペクトルで形作ることができるデルタシグマ（ΔΣ）ＡＤＣによってインプリメントされることができる。この雑音形成はより少ない帯域内量子化雑音を観測するため受信された信号を許可することができ、したがって高い信号対ノイズの比（ｓｉｇｎａｌ−ｎｏｉｓｅ  ｒａｔｉｏ：ＳＮＲ）を達成することができる。帯域外量子化雑音は、後のデジタルフィルターによってより容易にフィルターされることができる。ΔΣ  ＡＤＣのノイズスペクトルは、オーバーサンプリング比（ｏｖｅｒｓａｍｐｌｉｎｇ  ｒａｔｉｏ：ＯＳＲ）によって判断されることができ、ここでオーバーサンプリング比は、ΔΣ  ＡＤＣのサンプリングレートとデジタル化された受信された信号の両側の帯域幅の比である。一般に、より高いサンプリングレートは周波数中で量子化雑音をより高くすることができ、ΔΣ  ＡＤＣの帯域幅を増加させ、ＳＮＲを改善することができる。しかしながら、より高いサンプリングレートはより高い電力消費の結果となるかもしれない。サンプリングレートは、受信された信号の数、動作条件（例えば、望まれた信号レベル、望まれない信号レベル）、消費電力考察のような様々な要因に基づいて変化されることができる。
【００４４】
ΔΣ  ＡＤＣは、アナログベースバンド信号振幅における変化の概算を作るため参照電圧Ｖｒｅｆを使用することができる。このＶｒｅｆ電圧は、クリッピングなしにΔΣ  ＡＤＣによって捉えられることができる最大信号レベルを判断することができ、それはしばしばフルスケールレベルと呼ばれる。Ｖｒｅｆ電圧は、一般的にＶｒｅｆ電圧に関連のある量子化雑音も判断することができる。Ｖｒｅｆ電圧は、受信された信号の数、信号レベル、望まれない信号レベルなどのような様々な要因に基づき変化されることができる。例えば、Ｖｒｅｆ電圧は、複数の信号を受信する場合、信号レベルが低い場合などに減少されることができる。より低いＶｒｅｆ電圧は、量子化雑音レベルを低下させることができ、上に記述された手順のためＳＮＲを改善することができる。しかしながら、ΔΣ  ＡＤＣのノイズフロアーは活動し始めるかもしれず、量子化雑音レベルが落とされるような限界要因となる。
【００４５】
一般に、より広い帯域幅は、サンプリングレートの増加及び／又はＶｒｅｆ電圧の低下によってΔΣＡＤＣのため達成されることができる。より広い帯域幅は、同時に複数の信号の受信の便宜を図ることができる。
【００４６】
レーキ／イコライザー受信機３９２は、レーキ受信機及び／又はイコライザー受信機を備えることができる。レーキ受信機は、第１信号のため検知された１つ又はそれ以上の信号経路（又は複数の）のための第１信号のため出力サンプルストリームを処理することができる。レーキ受信機は、アクセスポイントによって使用される複雑疑似ランダム数（ＰＮ）配列をデスプレッドすること、データのため使用されるウォルシュコード、パイロット並びにオーバーヘッドチャネル、パイロット推定、パイロット推定値によるデカバーされたシンボルの一貫した復調、複数の経路を横断して結合するシンボルなどをデカバーすることのような様々な機能を実現することができる。イコライザー受信機は、第１信号のため出力サンプルストリームを処理することができる。イコライザー受信機は、パイロット推定、フィルター係数の導出／適応、フィルター係数による出力サンプルのフィルターリング、複雑ＰＮ配列をデスプレッド、ウォルシュコードをデカバー、シンボルスケーリングなどのような様々な機能を実行することができる。
【００４７】
図３は、ＲＦ受信チェーン３０１の１つの実施例を示す。一般に、ＲＦ受信チェーンは増幅器、フィルター、ミキサーなどの１つ又はそれ以上の段階を含むことができる。これら回路ブロックは、図３に示された構成と異なって配列されることができる。ＲＦ受信チェーンは、図３に示されていない、異なる及び／又は追加の回路ブロックを含むことができる。ＲＦ受信チェーン３０１の全部又は一部は、１つ又はそれ以上のＲＦ集積回路（ＲＦ  ｉｎｔｅｇｒａｔｅｄ  ｃｉｒｃｕｉｔ：ＲＦＩＣ）、混合信号ＩＣなどで実行されることができる。例えば、ＬＮＡ３１０、ミキサー３３０及びアナログローパスフィルター３４０は、ＲＦＩＣ、例えば、ＲＦ受信機（ＲＦ  ｒｅｃｅｉｖｅｒ：ＲＦＲ）又はＲＦ送信器／受信機（ＲＦ  ｔｒａｎｓｍｉｔｔｅｒ／ｒｅｃｅｉｖｅｒ：ＲＴＲ）チップ、上で実現されることができる。
【００４８】
別々に記述されたが、受信機３００に関して記述された機能ブロックは構造上の要素を分割される必要はないと認識される。例えば、１つ又はそれ以上のコンポーネントは単一のチップの中に組み入れられることができる。受信機３００に関して記述された、１つ若しくはそれ以上の機能ブロック及び／又は１つ若しくはそれ以上の機能ブロックの組み合わせは、汎用プロセッサ、デジタル信号プロセッサ（ＤＰＳ）、特定用途向け集積回路（ＡＳＩＣ）、フィールドプログラマブルゲートアレイ（ＦＰＧＡ）若しくはその他プログラマブルロジック機器、ディスクリートゲート若しくはトランジスタ、ディスクリートコンポーネント、又はここに記述された機能を実現するために設計されたあらゆるそれの適切な組み合わせによって実行又は実現されることができる。受信機３００に関して記述された、１つ若しくはそれ以上の機能ブロック及び／又は１つ若しくはそれ以上の機能ブロックの組み合わせは、例えば、ＤＳＰとマイクロプロセッサの組み合わせ、多数のマイクロプロセッサ、ＤＳＰコアを接続された１つ又はそれ以上のマイクロプロセッサ、その他全てのそのような構成のコンピューティングデバイスの組み合わせによって実行されることができる。
【００４９】
図４は、無線通信機器の典型的な送信器４００の機能ブロック図である。図４は、図２のトランシーバ２６０内に組み入れられることができる典型的なコンポーネントを示す。送信器の機能は受信機のそれと似ているが、逆である。送信器４００は、デジタルセクション４０１とＲＦ送信チェーン４０２を含む。デジタルセクション４０１は、Ｎデジタルプロセスチェーン４０４内に分割される。それぞれデジタルプロセスチェーンは、エアーインターフェイスの特定のタイプを使用して送信されるため、信号のための符号化経路に相当することができる。それぞれエアーインターフェイスは異なる符号化スキームを使用することができ、それゆえ信号を符号化するため異なる符号化ハードウェアを要求することができる。２つの典型的な経路が記述されているが、他の似ている経路も記述された経路に加えて又は代わりに提供されることができる。第１経路４０４aは、ＤＯ信号のようなハイデータレート信号のための符号化経路に相当する。第２経路４０４ｎは、１ＸＲＴＴ信号のような音声信号のための符号化経路に相当する。
【００５０】
単一ＲＦ送信チェーン４０２は、複数のエアーインターフェイス上で送られる複数の信号からなる信号を送信するように構成される。従って、複数のエアーインターフェイス上で複数の信号を受信するためＲＦ送信チェーンにおけるそれぞれのコンポーネントの複数コピーを要求する代わりに、それぞれのコンポーネントの単一のコピーのみが必要である。さらに、デジタルセクション４０１のコンポーネントは、複数のエアーインターフェイス上で受信される複数の信号を処理するためも共有されることができる。例えば、単一のデジタルアナログコンバータ、単一の符号器ＲＡＭ、及び単一のＰＮスプレッダーは、複数の信号を処理するために使用されることができる。これは、トランシーバ２６０のコスト及び／又は複雑さを減少させることができる。
【００５１】
デジタルセクション４０１内で、エンコーダーランダムアクセスメモリ（ＲＡＭ）４０５は、符号化され送信されるためデジタルデータを保持する。第１経路４０４aは、データの第１セットをＤＯシンボル中に符号化するＤＯエンコーダー４０６aを含むことができる。その後、符号化されたデータは、技術的に知られた方法によってシンボルを並び替えるＤＯインターリバー４０８aへ送られる。同様に、第２経路４０４ｎは、データの第２セットをＣＤＭＡシンボル内に符号化するＣＤＭＡエンコーダー４０６ｎを含むことができる。その後、符号化されたデータは、技術的に知られた方法によってシンボルを並び替えるＣＤＭＡインターリバー４０８ｎへ送られる。その後、両方のデータストリームは、疑似雑音（ＰＮ）スプレッダー４１０へ送られる。ＰＮスプレッダーは、技術的に知られた１つ又はそれ以上のＰＮ配列にしたがって、入力配列のそれぞれを拡散する。ＰＮスプレッダーは、符号化されたデータの第１セットをデジタルフィルター４１２aへ、及び符号化されたデータの第２セットをデジタルフィルター４１２ｎへ供給する。それぞれデジタルフィルター４１２は、その入力シンボルをフィルターすることができ、サンプリング周波数の上昇を実行することができ、回転機４１４へフィルターされたサンプルストリームを供給することができる。それぞれ回転機４１４はデジタルアップコンバータとして作動し、デジタル局部発振器（ＬＯ）信号によってフィルターされたサンプルストリームの周波数を上方変換し、上方変換されたサンプルストリームを供給する。それぞれ回転機４１４は、中心周波数ｆ１からｆｎによって入力サンプルストリームを増加させることができる。例えば、符号化されたデータの第１セットは周波数ｆ１によって増幅されることができ、符号化されたデータの第２セットは周波数ｆｎによって増幅されることができる。周波数は、信号を送信するために使用されるエアーインターフェイス及び／又はキャリア周波数によって判断されることができる。それから、それぞれの信号は、それぞれの回転機４１４からＮ上方変換されたサンプルストリームを合計する加算器４１６に入力される。それから、合計された信号は、サンプルストリームをアナログへ変換しＮ信号を備えるアナログベースバンド信号を供給する、デジタルアナログコンバータ（ｄｉｇｉｔａｌ−ｔｏ−ａｎａｌｏｇ  ｃｏｎｖｅｒｔｅｒ：ＤＡＣ）４２０へ送られる。その後、アナログベースバンド信号はＲＦ送信チェーン４０２へ送信される。
【００５２】
ＲＦ送信チェーン４０２は、スーパーヘテロダインアーキテクチャー又はダイレクトコンバージョンアーキテクチャーを実行することができる。スーパーヘテロダインアーキテクチャーでは、ベースバンド信号は、中間段階、例えば１つのステージでベースバンドから中間周波数（ＩＦ）まで及び他のステージでその後ＩＦからＲＦへ、において周波数について上方変換された。零ＩＦ（ｚｅｒｏ−ＩＦ）アーキテクチャーとも呼ばれるダイレクトコンバージョンアーキテクチャーでは、ベースバンドは１つのステージにおいてベースバンドから直接ＲＦへ周波数について上方変換される。スーパーヘテロダイン及びダイレクトコンバージョンアーキテクチャは、異なる回路ブロックを使うことができ及び／又は異なる回路要求を持つことができる。次の記述は、ダイレクトコンバージョンアーキテクチャの使用を仮定する。
【００５３】
ＲＦ送信チェーン４０２内に、アナログローパスフィルター４２２は、デジタルアナログ変換によって生じる画像を取り除くためアナログベースバンド信号をフィルターし、フィルターされた信号を供給する。ミキサー４２４は、ＬＯジェネレータからのアナログＬＯ信号を利用し、フィルターされた信号をベースバンドからＲＦへ周波数について上方変換する。ＬＯジェネレータは、電圧制御発振器（ＶＣＯ）、位相同期ループ（ＰＬＬ）)、基準発振器などを含むことができる。任意に、利得可変増幅器（ＶＧＡ）は、可変利得によってミキサー４２４からの上方変換された信号を増幅する。バンドパスフィルター４３０は、周波数変換によって生じる画像を取り除くため、信号をフィルターする。バンドパスフィルター４３０は、表面弾性波（ＳＡＷ）フィルター、セラミックフィルター、又はフィルターのいくつか他のタイプであるかもしれない。電力増幅器（ｐｏｗｅｒ  ａｍｐｌｉｆｉｅｒ：ＰＡ）４３２は、フィルター４３０からの信号を増幅し、適切な電力レベルを持つＲＦ出力信号を供給する。ＲＦ出力信号は、アンテナ２７０を通じて送信される。
【００５４】
ＤＡＣ４２０とＲＦ送信チェーン４０２は、複数のエアーインターフェイスを利用する複数の信号の同時送信をサポートするため広帯域であることができる。ＤＡＣ４２０は、十分に高いクロックレートで操作されることができ、全てのＮ信号を含むデジタルサンプルストリームの変換のための十分な解像度を持つことができる。アナログローパスフィルター４２２には同時に送られている信号をすべて通るのに十分に広いかもしれない、固定か可変帯域幅があってもよい。後のアナログ回路ブロックも、信号の全てが通るために広帯域を持つことができる。バンドパスフィルター４３０は、広帯域であることができ、例えば、携帯電話のための８２４から８４９ＭＨｚ、個人通信サービス（Ｐｅｒｓｏｎａｌ  Ｃｏｍｍｕｎｉｃａｔｉｏｎ  Ｓｅｒｖｉｃｅ：ＰＣＳ）帯のための１８５０から１９１０ＭＨｚなど、全体の周波数帯を通ることができる。
【００５５】
図４は、ＲＦ送信チェーン４０２の１つの実施例を示す。一般に、ＲＦ送信チェーンは、増幅器、フィルター、ミキサーなどの１つ又はそれ以上のステージを含むことができる。これらの回路ブロックは、図４に示された構成とは異なって配列されることができる。ＲＦ送信チェーンも、図４に示されていない、異なる、及び／又は追加の回路ブロックを含むことができる。ＲＦ送信チェーン４０２のすべて又は一部は、１つ又はそれ以上のＲＦ集積回路（ＲＦ  ｉｎｔｅｇｒａｔｅｄ  ｃｉｒｃｕｉｔ：ＲＦＩＣ）、混合信号ＩＣなどの上で実行されることができる。例えば、アナログローパスフィルター４２２とミキサー４２４は、例えば、ＲＦ送信（ＲＦ  ｔｒａｎｓｍｉｔｔｅｒ：ＲＦＴ）又はＲＦ送信／受信（ＲＦ  ｔｒａｎｓｍｉｔｔｅｒ／ｒｅｃｅｉｖｅｒ：ＲＴＲ）チップなどのＲＦIC上で実行されることができる。
【００５６】
別々に記述されたが、送信器４００に関して記述された機能ブロックは、構造的要素を分けられる必要はないと認識される。例えば、１つ又はそれ以上のコンポーネントは単一のチップ内に組み入れられることができる。機能ブロックの１つ又はそれ以上及び／又は送信器４００に関して記述された機能ブロックの１つ又はそれ以上の組み合わせは、汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理機器、ディスクリートゲート若しくはトランジスタ論理、ディスクリートハードウェアコンポーネント、又はその他ここに記述された機能を実現するために設計された適切な組み合わせとすることができる。機能ブロックの１つ又はそれ以上及び／又は送信器４００に関して記述された機能ブロックの１つ又はそれ以上の組み合わせは、例えばＤＳＰとマイクロプロセッサの組み合わせ、複数マイクロプロセッサ、ＤＳＰコアに接続された１つ又はそれ以上のマイクロプロセッサ、又は配列のようなその他すべてのコンピューティングデバイスの組み合わせにより実現されることができる。
【００５７】
図３及び図４に示されたようにトランシーバ２６０の実施例は、複数のエアーインターフェイス上で受信及び／又は送信された複数の信号の処理のために共有される。従って、トランシーバ２６０のような複数のエアーインターフェイス上の通信をするトランシーバを作成するコストは、より少ないコンポーネントしか必要ないので減少されることができる。これは、トランシーバ２６０の複雑さ及び電力消費も減少させることができる。
【００５８】
図５は、図３に示されるような受信機を使用する複数のエアーインターフェイス上で信号を受信する典型的なプロセスを示す。プロセス５００は、受信機が複数のエアーインターフェイス上で送信された複数の信号からなる組み合わされた信号を受信するステップ５１０で始まる。プロセスは、複数の信号を備える組み合わされた信号の増幅が単一の増幅器を使って調節されるステップ５１３まで継続する。１つの実施例では、増幅は上に議論されたように複数の信号の最も弱いものに基づいて調査されることができる。さらに、増幅は、送信器のADCを飽和させるレベルまで組み合わされた信号を増幅しないようなあるルールに基づいて調整されることができる。ステップ５１５の次は、組み合わされた信号はアナログ領域において単一ＲＦチェーンによって処理される。さらに、ステップ５２０では、組み合わされた信号は、ＡＤＣによってデジタル領域へ変換される。ステップ５２５で継続して、組み合わされた信号は、１つ又はそれ以上の信号に分けられる；特定のエアーインターフェイスを使用し送信される信号を表す各信号。
【００５９】
次に、ステップ５３０で、受信機は、信号の１つ又はそれ以上を復号するか判断する。もし受信機が信号の１つ又はそれ以上を復号すると判断した場合、プロセス５００は、それぞれ復号される信号の１つ又はそれ以上が異なるデジタルプロセスチェーンを使用し復号されるステップ５３５まで継続する。ステップ５４０で継続して、受信機は信号の１つ又はそれ以上によるパイロット信号を探索するかどうか判断する。もし受信機が信号の１つ又はそれ以上によるパイロット信号を探索すると判断した場合、プロセスは、それぞれ探索される信号の１つ又はそれ以上が異なるデジタルプロセスチェーンを使用し探索されるステップ５３５まで継続する。さらにステップ５５０で、受信機は信号の１つ又はそれ以上のＲｘ  ＡＧＣを測定するか判断する。もし受信機が信号の１つ又はそれ以上のＲｘ  ＡＧＣを測定すると判断した場合、プロセス５００は、それぞれＲｘ  ＡＧＣが測定される１つ又はそれ以上の信号が、異なるデジタルプロセスチェーンを利用し測定されるステップ５５５まで継続される。
【００６０】
図６は、図３に示されたような送信器を使用する複数のエアーインターフェイス上で信号を送信する典型的なプロセスを示す。プロセス６００は、送信器が単一の記録場所において複数エアーインターフェイ上で送信されるため、複数の信号を格納するステップ６１０で始まる。ステップ６１５で継続して、複数の信号は、分離エンコーダーによってデジタル領域中に別々に符号化される。さらに、ステップ６２０で、単一のＰＮスプレッダーは送信のため複数の信号を準備する。次に、ステップ６２５で、複数の信号は組み合わされた信号内へ組み合わされる。さらなるステップ６３０で、組み合わされた信号は単一のＤＡＣによってアナログ領域へ変換される。次のステップ６３５で、組み合わされた信号は単一ＲＦチェーンよって処理され、１つの組み合わされた信号として送信される。
【００６１】
図７は、１つ又はそれ以上のエアーインターフェイスを使用する複数の信号の典型的な送信を示す。送信７００はＮ周波数チャネルを含むことができる。チャネル０は、ｆｃｈ０のキャリア周波数を持ち、チャネル１はｆｃｈ１のキャリア周波数を持ち、以下同様に、そしてチャネルＮはｆｃｈＮのキャリア周波数を持つ。キャリア周波数は、チャネル間干渉を減少させるためチャネルが十分に離れて間隔をあけるように、一般的に選択される。一般に、Ｎチャネルのキャリア周波数は互いに関係してもいいし、しなくてもよい。それぞれのチャネルのキャリア周波数は、最小のチャネル間間隔基準に従い独立に選択されることができる。キャリア周波数は、周波数を横切って平等に間隔をあけ、１．２２８８ＭＨｚ又はいくつか他の値である固定された周波数間隔ｆｓｐａｃｉｎｇによって分割されることができる。Ｎ信号は、音声、ビデオ、パケットデータ、テキストメッセージなどのようなあらゆるサービスのためデータのあらゆるタイプを運ぶことができる。N信号は、１つ又は複数のアクセスポイントから受信され、異なる電力レベル又は同様の電力レベル（図７に示されたように）で受信されることができる。例えば、チャネル１が１ｘＲＴＴエアーインターフェイスを使用している間に、チャネル０と３はそれぞれＤＯエアーインターフェイスを使用する。送信は、図４の送信器４００によって生成され、上に記述されるように、図３の受信機３００によって受信されることができる。
【００６２】
トランシーバ２６０は、広帯域通信のために構成されることができる。例えば、トランシーバ２６０は、図８に示すように１００ＭＨＺの周波数レンジ上で同時に信号を送信及び／又は受信する（ＴＸ／ＲＸ）ことができる。周波数レンジは、図３並びに４のＡＤＣ３５０並びにＤＡＣの設計のようなトランシーバ２６０のために使用されるコンポーネントに依存することができる。トランシーバ２６０がシグナルを送信及び／又は受信する正確な周波数チャネルは、周波数レンジ及び「中心」周波数によって定義されることができる。中心周波数は、トランシーバ２６０が信号を送信及び／又は受信する周波数レンジの中心周波数であることができる。例えば、トランシーバ２６０は、１００ＭＨｚの周波数の中央に置かれた信号を送信及び／又は受信することができる。周波数レンジは、５０ＭＨｚであることができる。したがって、トランシーバ２６０は、７５ＭＨｚから１２５ＭＨｚの間の信号を送信及び／又は受信することができる。「再センターリング」トランシーバ２６０は、トランシーバ２６０のため新しい中心周波数を選択することに言及する。中心周波数は、受信された信号のため図３のミキサー３３０と送信された信号のため図４のミキサー４２４によってセットされることができる。
【００６３】
したがって、トランシーバ２６０が周波数ｆ１の中心に置かれた信号を符号化／復号化するためにセットされたとき、トランシーバ２６０はチャネル１，２，３，４及び５上で信号を送信及び／又は受信することができる。図８に示されたように、トランシーバ２６０は、チャネル１及び３上でＤＯ信号を同時に送信及び／又は受信する。しかしながら、各チャネルのため信号対干渉プラスノイズ比（ｓｉｇｎａｌ−ｔｏ−ｉｎｔｅｒｅｆｅｒｅｎｃｅ−ｐｌｕｓ−ｎｏｉｓｅ：ＳＩＮＲ）を最適化するため、トランシーバ２６０は周波数ｆ２の中心に置かれた信号を符号化／復号化するためセットされ又は再センターリングされることができる。加えて、トランシーバ２６０はチャネル０上で信号を送信及び／又は受信する必要があるかもしれないが、ｆ１の中に置かれたときはチャネル０上で信号をＴＸ／ＲＸできない。なぜなら、１００ＭＨｚ周波数レンジの（ｆ１−５０ＭＨｚからｆ１＋５０ＭＨｚ）外だからである。したがって、トランシーバ２６０は、周波数ｆ３の中心に置かれた信号を符号化／復号化するためセットされ又は再センターリングされることができる。トランシーバ２６０の再センターリングは、データパケットエラー又は音声データの損失を引き起こすかもしれない。したがって、送信され及び／又は受信された信号への影響を最小化する再センターリングの方法を、本文中に記述する。
【００６４】
図９は、図２に示されたトランシーバを再センターリングする典型的なプロセスのフローチャートである。プロセス９００は、トランシーバ２６０が１つ又はそれ以上の送信器からの１つ又はそれ以上のエアーインターフェイスを使用する１つ又はそれ以上のチャネル上でデータ（例えば、音声通信及び／又は通信のみ）を受信する。トランシーバ２６０は、周波数ｆ１で中心に置かれる。次のステップ９１０で、トランシーバ２６０は、現在データを受信している各送信器にメッセージを送信するのであって、ここでメッセージは一定期間トランシーバ２６０への送信をやめることを１つ又はそれ以上の送信器に示す。さらにステップ９１５で、一定期間が保有されている間、トランシーバ２６０は周波数Ｆ２に再センターリングする。ステップ９２０で継続して、周波数Ｆ２の中心に置かれたトランシーバ２６０は、１つ又はそれ以上の送信器から１つ又はそれ以上のエアーインターフェイスを使用する１つ又はそれ以上のチャネル上でデータを受信する。従って、再センターリング中に通信は失われないとともに、再センターリング期間中にトランシーバ２６０に送信される通信はない。
【００６５】
他の実施例では、トランシーバ２６０はメッセージ中にステップ９１０での送信をやめることを指し示すことができる。さらにステップ９１５の後のオプションのステップでは、トランシーバ２６０は、トランシーバ２６０への送信を再開するため１つ又はそれ以上の送信器に指し示す１つ又はそれ以上の送信器のそれぞれに他のメッセージを送信することができる。
【００６６】
ある実施例では、新しいチャネルを送信及び／又は受信する必要がないとき、再センターリングはある基準に基づいて実行されてもされなくともよい。例えば、無線通信機器１０は、トランシーバ２６０が送信及び／受信する各チャネルのＳＩＮＲの立場からトランシーバ２６０を再センターリングすることの利益を評価することができる。無線通信機器１０は、さらに再センターリングからの一時的なＳＩＮＲの下降に対して、情報処理能力と音声品質を評価することができる。
【００６７】
１つの基準は、データが送信及び／又は受信するフォーマットが何か判断することを含むことができる。例えば、もしデータが送信制御プロトコル（ｔｒａｎｓｍｉｓｓｉｏｎ  ｃｏｎｔｒｏｌ  ｐｒｏｔｏｃｏｌ：ＴＣＰ）を使用し送信される場合、ＴＣＰデータ送信中のパケットエラーが処理能力バックオフを引き起こすので、無線通信機器１０はトランシーバ２６０を再センターリングしないかもしれない。もしデータがユーザーデータグラムプロトコル（ｕｓｅｒ  ｄａｔａｇｒａｍ  ｐｒｏｔｏｃｏｌ：ＵＤＰ）を使用して送信される場合、無線通信機器１０はトランシーバ２６０を再センターリングすることができる。
【００６８】
次の基準は、より長いパケットフォーマットが送信及び／又は受信されるデータのために利用されるか判断することを含むことができる。もしより長いパケットフォーマットが利用されている場合、長いパケットフォーマットの時間ダイバーシティのため、一時的な下降がパケットエラーを引き起こす見込みはより少ないので、トランシーバ２６０を再センターリングすることは実行されることができる。
【００６９】
３番目の基準は、１つ又はそれ以上のチャネル上で受信される信号はすでにしきい値より上のＳＩＮＲを持つか判断することを含むことができる。もしＳＩＮＲがしきい値より上の場合、適切なＳＩＮＲレベルはすでに達成されているので、トランシーバ２６０は再センターリングされないことができる。
【００７０】
４番目の基準は、与えられた信号の残留側波帯がトランシーバ２６０を再センターリングすることで減少されることができるか判断することを含むことができる。受信された信号のそれぞれのＲＳＢは、中心周波数を横切る信号の反射である（例えば、中心周波数＋５ＭＨｚで受信された信号のＲＳＢは、中心周波数−５ＭＨｚで中心に置かれる）。例えば、２つの信号はトランシーバ２６０で受信されることができる。信号のそれぞれは、中心周波数から等距離の周波数で及び中心周波数から反対側で受信されることができる（例えば、中心周波数±５ＭＨｚ）。したがって、それぞれの信号のＲＳＢは、他の受信された信号と干渉するかもしれない。したがって、受信された信号のＲＳＢはもはや受信された信号と干渉しないように、中心周波数を変更することができる（例えば、１．２５ＭＨｚ）。中心周波数を変更する量は、干渉が新中心周波数で減少することを確実にするため追加の信号のための追加の周波数及びそれらのＲＳＢをスキャンすることによって計算されることができる。トランシーバ２６０は、増加的に他の周波数キャリアを探索することができる（例えば、１ＭＨｚごと）。
【００７１】
実施例によると、本文中に記述された方法の全てのある行為又は出来事はすべて一緒に異なる配列で実行されることができ、加えられ、合併され、又は省くことができる（例えば、全ての記述された行為又は出来事は、方法の実行による必要はない）。さらに、ある実施例では、行為又はイベントは、例えば、連続するよりも、マルチスレッド処理、割り込み処理、又は複数プロセッサを通じて、同時に実行されることができる。
【００７２】
本文中に記述された機能性は、添付された請求項における機能性のために同様に設計された手段といくつかの態様において相当することができる。図１０及び１１に言及すると、受信機は、相互に関連した機能性モジュールの一連として表現される。
【００７３】
図１０は、図２に示されたような無線通信機器の他の典型的な受信機の機能ブロック図である。示されるように、受信機３００は、受信するユニット１００５、変換するユニット１０１０、及び分離するユニット１０１５を備えることができる。受信するユニット１００５は、例えば本文中で議論されたようなアンテナに少なくともいくつかの態様において一致することができる。変換するユニット１０１０は、例えば本文中で議論されたようなADCに少なくともいくつかの態様において一致することができる。分離ユニット１０１５は、例えば本文中で議論されたような１つの回転機に少なくともいくつかの態様において一致することができる。
【００７４】
図１１は、図２に示されたような無線通信機器の他の典型的な送信器の機能ブロック図である。示されたように、送信器４００は、結合するユニット１１０５、変換するユニット１１１０、及び送信するユニット１１１５を備えることができる。組み合わせるユニット１１０５は、例えば本文中に議論されたような加算器に少なくともいくつかの態様において一致することができる。送信するユニット１１１０は、例えば本文中に議論されたようなＤＡＣに少なくともいくつかの態様において一致することができる。送信するユニット１１１５は、例えば本文中で議論されたようなアンテナに少なくともいくつかの態様において一致することができる。
【００７５】
図１０及び１１のモジュールの機能性は、本文中の教えにかなった様々な方法で実行されることができる。いくつかの態様において、これらのモジュールの機能性は、１つ又はそれ以上の電気的コンポーネントとして実行されることができる。いくつかの態様において、これらのブロックの機能性は１つ又はそれ以上のプロセッサコンポーネントを含む処理システムとして実行されることができる。いくつかの態様において、これらのモジュールの機能性は、例えば１つ又はそれ以上の集積回路（例えば、ＡＳＩＣ）の少なくとも一部を使用して実行されることができる。本文中で議論されるように、集積回路はプロセッサ、ソフトウェア、その他関連するコンポーネント、又はいくつかのそれらの組み合わせを含むことができる。これらのモジュールの機能性は、本文中で教えられるようないくつかの他のやり方において実行されることができる。
【００７６】
「第１」「第２」及びその先のような名称を本文中に使用している要素についての全ての言及は、一般的に量又はこれらの順序を限界づけることはないと理解されるべきである。むしろ、これらの名称は、２つ又はそれ以上の要素を区別すること又は要素の例の便利な方法として本文中で使用されることができる。したがって、第１及び第２要素への言及は、２つの要素のみがここで使用されることができること又は第１要素がいくつかのやり方において第２の先に来なければならないことを意味しない。また、もし述べられていなければ、要素のセットは１つ又はそれ以上の要素を備えることができる。さらに、記述又は請求項において使用される「少なくともＡ、Ｂ又はＣから１つ」という用語の用法は、「Ａ又はＢ又はＣ又はこれらの要素の全ての組み合わせ」を意味する。
【００７７】
明細書は本発明の特定の例を記述しているが、通常の能力のある者たちは、発明概要から離れることなく本発明のバリエーションを考案することができる。例えば、本文中での教えはフェムトセル及びマクロセルを備えたネットワークに言及しているが、同様に他の技術を備えたネットワークに応用できる。
【００７８】
当業者は、情報及び信号が様々な異なる技術及び手法の全てを使用し表現されることを理解できるだろう。例えば、上記の記述全体にわたって言及されているデータ、命令、コマンド、情報、信号、ビット、シンボル及びチップは、電圧、電流、電磁波、磁場若しくは磁性粒子、光学場若しくは光粒子、その他あらゆる組み合わせによって表現されることができる。
【００７９】
当業者は、さらにここに開示された実施例に関連して記述された様々な説明の論理ブロック、モジュール、回路及びアルゴリズムステップが、電気機器、コンピュータソフトウェア又は両者の組み合わせによって実行されることができると評価するだろう。ハードウェア及びソフトウェア、様々な実例となるコンポーネント、ブロック、モジュール、回路、方法及びアルゴリズムの互換性が明確に示されていることは、これらの機能性の点から一般に上に記述されている。その様な機能性がハードウェア又はソフトウェアとして実行されるかは、特定のアプリケーション及びシステム全体に課せられた設計制約による。熟練した技術者はそれぞれ特定のアプリケーションのための様々な方法において記述された機能性を実行することができるが、そのような実行の決定は本発明の範囲から離れることになると解釈するべきではない。
【００８０】
本文中に開示された例と関連して記述された様々な実例となる論理ブロック、モジュール、及び回路は、汎用プロセッサ、デジタル信号プロセッサ（ＤＰＳ）、特定用途向け集積回路（ＡＳＩＣ）、フィールドプログラマブルゲートアレイ（ＦＰＧＡ）若しくはその他プログラマブルロジック機器、ディスクリートゲート若しくはトランジスタ、ディスクリートコンポーネント、又はここに記述された機能を実現するために設計されたあらゆるそれの適切な組み合わせによって実行又は実現されることができる。汎用プロセッサはマイクロプロセッサであることができるが、代わりとして、プロセッサはすべての従来のプロセッサ、コントローラ、マイクロコントローラ、又は状態機器であることができる。プロセッサも、例えばＤＳＰとマイクロプロセッサの組み合わせ、複数マイクロプロセッサ、ＤＳＰコアに接続された１つ又はそれ以上のマイクロプロセッサ、又は配列のようなその他すべてのコンピューティングデバイスの組み合わせにより実現されることができる。
【００８１】
本文中に開示された例に関連して記述された方法又はアルゴリズムは、ハードウェアによって、プロセッサにより実行されるソフトウェアモジュールによって、又は２つの組み合わせによって直接具体化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバディスク、ＣＤ−ＲＯＭ、その他技術において知られている記録媒体の全ての形式に存在することができる。記録媒体は、プロセッサが記録媒体から情報を読み及び情報を書き込むような、プロセッサに接続されることができる。代わりとしては、記録媒体はプロセッサに内蔵されることができる。プロセッサ及び記録媒体は、ＡＳＩＣ内に存在することができる。
【００８２】
１つ又はそれ以上の典型的な実施例では、記述された機能は、ハードウェア、ソフトウェア、ファームウェア、又はそれらの全ての組み合わせによって実行されることができる。もしソフトウェアによって実行された場合、機能はコンピュータ可読媒体上の１つ又はそれ以上の命令並びにコードとして格納され又は送信されることができる。コンピュータ可読媒体は、ある場所から他の場所へコンピュータプログラムを運ぶことを容易にする全ての媒体を含むコンピュータ記録メディア及び通信メディアの両者を含む。記録媒体は、汎用又は専用コンピュータによってアクセスできる全ての利用可能な媒体であることができる。限定ではなく例として、その様なコンピュータ可読媒体は、ＲＡＭ、ＲＯＭ、ＥＥＰＲＯＭ、ＣＤ−ＲＯＭ若しくは他の光学ディスクストレージ、磁気ディスクストレージ若しくは他の磁気ストレージデバイス、又は命令若しくはデータ構造のフォームにおける望まれたプログラムコード手段を運び若しくは格納するために使用され、及び汎用若しくは専用コンピュータ又は汎用若しくは専用プロセッサでアクセスすることができるその他の媒体を備えることができる。また、すべての接続は完全にコンピュータ可読媒体と命名される。例えば、もしソフトウェアが同軸ケーブル、光ファイバーケーブル、ツイストペア、デジタル加入者ライン（ｄｉｇｉｔａｌ  ｓｕｂｓｃｒｉｂｅｒ  ｌｉｎｅ：ＤＳＬ）、又は赤外線、ラジオ、及びマイクロ波のような無線技術を使用してウェブサイト、サーバー、又はその他遠く離れたソースから送られてくる場合、その時は同軸ケーブル、光ファイバーケーブル、ツイストペア、ＤＳＬ、又は赤外線、ラジオ、及びマイクロ波のような無線技術は、媒体の定義に含まれる。本文中で使用されている、一般に磁気でデータを再現するディスク（ｄｉｓｋ）、一方レーザーを使用して光学的にデータを再現するディスク（ｄｉｓｃ）は、コンパクトディスク（ＣＤ）、レーザーディスク（登録商標）、光ディスク、ディジタル・バーサタイル・ディスク（ＤＶＤ）、フロッピー（登録商標）ディスクおよびブルーレイディスクを含む。上記のものの組み合わせもコンピュータ可読媒体の範囲に含まれる。
【００８３】
開示されたれの前の記述は、すべての当業者に本発明を作る又は使用することを確実にするために提供される。これらの例への様々な修正は、当業者に容易に明らかになり、また本文中で定義された一般的な原理は本発明の精神又は範囲から離れることなく他の例へ応用されることができる。したがって、本発明は本文中に示された例に限定されるとは意図されないが、本文中に開示された原理及び新規の特徴と一致する最も広い範囲が与えられる。
なお、以下に、出願当初の特許請求の範囲に記載された発明を付記する。
［Ｃ１］第１時間期間中に第１入力を受信することであって、ここで前記第１入力は第１信号及び第２信号を備え、ここで前記第１信号は第１無線技術を使用して符号化され、前記第２信号は第２無線技術を使用して符号化される、受信することと、
前記第１入力をアナログ領域からデジタル領域へ変換することと、及び
前記デジタル領域において前記第１入力を前記第１信号及び前記第２信号へ分離することと、
を備える無線通信機器内で実行される方法。
［Ｃ２］前記第１入力を変換することは、単一のアナログデジタルコンバータを通じて前記第１入力を変換することを備えるＣ１の方法。
［Ｃ３］前記第１入力を受信することは、単一のＲＦチェーンを通じて前記第１入力を受信することを備えるＣ１の方法。
［Ｃ４］第１デジタル復号化経路を使用する前記第１信号を処理することと、及び
第２デジタル復号化経路を使用する前記第２信号を処理することと、
をさらに備えるＣ３の方法。
［Ｃ５］前記第１入力を受信することは、第１受信周波数に定められた中心周波数の中心に置かれた第１周波数レンジ上で前記入力を受信することを備え、
前記第１信号は第１信号周波数の中心に置かれ及び前記第２信号は第２信号周波数の中心に置かれ、及び
前記第１信号周波数及び前記第２信号周波数は前記第１周波数レンジ内にある、
Ｃ４の方法。
［Ｃ６］第２受信周波数に前記中心周波数をセットすることと、及び
第２時間期間中に前記第２受信周波数にセットされた前記中心周波数の中心に置かれた第２周波数レンジ上で第２入力を受信することと、
をさらに備えるＣ５の方法。
［Ｃ７］前記第２入力は前記第１信号及び前記第２信号及び第３信号の少なくとも１つを備え、
前記第３信号は第３信号周波数の中心に置かれ、
前記第１信号及び前記第２信号の少なくとも１つは前記第２周波数レンジ内にあり、及び
前記第３信号は前記第２周波数レンジ内にある、
Ｃ６の方法。
［Ｃ８］前記第１信号と前記第２信号の１つ又はそれ以上のソースへメッセージを送信することであって、ここで前記メッセージは１つ又はそれ以上のソースが受信機に送信しない第２時間期間を指し示す、メッセージを送信することと、
前記第２時間期間中に第２中心周波数の中心に置かれた第２周波数レンジで受信するため前記受信機を再構成することと、及び
第３時間期間中に前記第２周波数上で第２入力を受信することであって、ここで前記第３期間は前記第２時間期間の後である、第２入力を受信することと、
をさらに備えるＣ５の方法。
［Ｃ９］前記第１信号及び前記第２信号の少なくとも１つの信号強度に基づいた第２受信周波数へ前記中心周波数をセットすること、
をさらに備えるＣ５の方法。
［Ｃ１０］基準のセットが合ったときのみ、第２時間期間中に、第２中心周波数の中心に置かれた第２周波数レンジ上で、前記第１信号及び前記第２信号を備える第２入力を受信すること、
をさらに備えるＣ５の方法。
［Ｃ１１］基準の前記セットは、前記第１及び／又は第２信号を送信するために使用されるプロトコルを備える、Ｃ１０の方法。
［Ｃ１２］基準の前記セットは、前記第１及び／又は第２信号を送信するために使用されるパケットフォーマットを備える、Ｃ１０の方法。
［Ｃ１３］基準のセットは、前記第１周波数レンジ上で受信される前記第１信号の信号ノイズプラス干渉（ＳＩＮＲ）及び／又は前記第１周波数レンジ上で受信される前記第２信号の（ＳＩＮＲ）がしきい値ＳＩＮＲより上かどうかを備える、Ｃ１０の方法。
［Ｃ１４］前記第１信号及び前記第２信号の少なくとも１つを復号することをさらに備えるＣ４の方法。
［Ｃ１５］前記第１信号及び前記第２信号の少なくとも１つの上のパイロット信号を探索することをさらに備えるＣ４の方法。
［Ｃ１６］前記第１信号と前記第２信号の少なくとも１つの前記信号強度を決定することをさらに備えるＣ４の方法。
［Ｃ１７］前記第１信号及び前記第２信号の少なくとも１つの前記信号強度に基づいた前記第１入力の増幅レベルを調整することをさらに備えるＣ１６の方法。
［Ｃ１８］前記第１無線技術は音声エアーインターフェイスを備え、前記第２無線技術はデータのみのエアーインターフェイスを備える、Ｃ１の方法。
［Ｃ１９］前記第１無線技術の、標準、パケットフォーマット及び前記第１無線技術の変調スキームの少なくとも１つは、前記第２無線技術の、相当する標準、パケットフォーマット、及び変調スキームと異なる、Ｃ１の方法。
［Ｃ２０］前記第１信号は第１無線技術を使用して符号化され、前記第２信号は第２無線技術を使用して符号化される、第１信号及び第２信号を組み合わせることと、
前記組み合わされた信号をデジタル領域からアナログ領域へ変換することと、
前記組み合わされた信号を送信することと、
を備える方法。
［Ｃ２１］前記第１無線技術は音声エアーインターフェイスを備え、前記第２無線技術はデータのみのエアーインターフェイスを備える、Ｃ２０の方法。
［Ｃ２２］前記第１信号を符号化することは第１デジタル符号化経路を使用する前記第１信号を符号化することで、前記第２信号を符号化することは第２デジタル符号化経路を使用する前記第２信号を符号化することである、Ｃ２０の方法。
［Ｃ２３］前記組み合わされた信号を変換することは、単一のデジタルアナログコンバータを通して前記組み合わされた信号を変換することを備える、Ｃ２０の方法。
［Ｃ２４］単一のＲＦチェーンを使用する前記組み合わされた信号を処理することをさらに備えるＣ２０の方法。
［Ｃ２５］第１時間期間中に第１入力を受信するように構成されるアンテナであって、ここで前記第１入力は第１信号及び第２信号を備え、ここで前記第１信号は第１無線技術を使用して符号化され、前記第２信号は第２無線技術を使用して符号化される、受信するように構成されるアンテナと、
前記第１入力をアナログ領域からデジタル領域へ変換するように構成されるアナログデジタルコンバータと、
前記デジタル領域において前記第１入力を前記第１信号及び前記第２信号に分離するように構成される少なくとも１つの回転機と、
を備える無線装置。
［Ｃ２６］第１信号及び第２信号を組み合わせるように構成される加算器であって、ここで前記第１信号は第１無線技術を使用して符号化され、前記第２信号は第２無線技術を使用して符号化される、組み合わせるように構成される加算器と、
前記組み合わされた信号をデジタル領域からアナログ領域へ変換するように構成されるデジタルアナログコンバータと、
前記組み合わされた信号を送信するように構成されるアンテナと、
を備える無線装置。
［Ｃ２７］第１時間期間中に第１入力を受信するための手段であって、ここで前記第１入力は第１信号及び第２信号を備え、ここで前記第１信号は第１無線技術を使用して符号化され、前記第２信号は第２無線技術を使用して符号化される、第１時間期間中に第１入力を受信するための手段と、
前記第１入力をアナログ領域からデジタル領域へ変換する手段と、及び、
前記ジタル領域において前記第１入力を前記第１信号及び前記第２信号へ分離する手段と、
を備える無線装置。
［Ｃ２８］第１信号及び第２信号を組み合わせるための手段であって、ここで前記第１信号は第１無線技術を使用して符号化され、前記第２信号は第２無線技術を使用して符号化される、組み合わせるための手段と、
前記組み合わされた信号をデジタル領域からアナログ領域は変換するための手段と、及び
前記組み合わされた信号を送信するための手段と、
を備える無線装置。
［Ｃ２９］第１時間期間中にコンピュータに第１入力を受信させるためのコードであって、ここで前記第１入力は第１信号及び第２信号を備え、ここで前記第１信号は第１無線技術を使用して符号化され、前記第２信号は第２無線技術を使用して符号化される、第１入力を受信させるためのコードと、
コンピュータに前記第１入力をアナログ領域からデジタル領域へ変換させるためのコードと、
コンピュータにデジタル領域において前記第１入力を前記第１信号及び前記第２信号へ分離するためのコードと、
を備えるコンピュータ可読媒体を備えるコンピュータプログラム製品。
［Ｃ３０］コンピュータに第１信号及び第２信号を組み合させるためのコードであって、ここで前記第１信号は第１無線技術を使用して符号化され、前記第２信号は第２無線技術を使用して符号化される、組み合させるためのコードと、
コンピュータに前記組み合わされた信号をデジタル領域からアナログ領域へ変換させるためのコードと、及び
コンピュータに前記組み合わされた信号を送信させるためのコードと、
を備えるコンピュータ可読媒体を備えるコンピュータプログラム製品。
【図１】
0005694448.tif 000002
【図２】
0005694448.tif 000003
【図３】
0005694448.tif 000004
【図４】
0005694448.tif 000005
【図５】
0005694448.tif 000006
【図６】
0005694448.tif 000007
【図７】
0005694448.tif 000008
【図８】
0005694448.tif 000009
【図９】
0005694448.tif 000010
【図１０】
0005694448.tif 000011
【図１１】
0005694448.tif 000012